(57)【要約】【課題】前方に移動し建屋部と離隔したときに生じる隙間を迅速かつ簡易に塞ぐことが可能な可動スタンドを提供することを目的とする。【解決手段】可動スタンド１は、階段状に複数の席が載置され、席の前後方向に移動可能な本体部２と、本体部２の後方かつ本体部２の上部の高さに位置し、本体部２の後方の建屋部２０に設けられた固定部２１に対して回転可能に結合された第１端部３ａと、本体部２の席の下部に設けられた案内部４を相対移動する、第１端部３ａに対して他側の第２端部３ｂとを有する梁材３とを備え、梁材３の第２端部３ｂは、本体部２の前後方向の移動とともに案内部４を上昇又は下降し、本体部２が前方に移動し、本体部２と固定部２１が所定の間隔に離隔したとき、梁材３は、本体部２の上部と固定部２１とを接続する。【選択図】図１
2015161089.tif 000002
【特許請求の範囲】
【請求項１】
階段状に複数の席が載置され、前記席の前後方向に移動可能な本体部と、
前記本体部の後方かつ前記本体部の上部の高さに位置し、前記本体部の後方の建屋部に設けられた固定部に対して回転可能に結合された第１端部と、前記本体部の前記席の下部に設けられた案内部を相対移動する、前記第１端部に対して他側の第２端部とを有する梁材と、
を備え、
前記梁材の前記第２端部は、前記本体部の前後方向の移動とともに前記案内部を上昇又は下降し、
前記本体部が前方に移動し、前記本体部と前記固定部が所定の間隔に離隔したとき、前記梁材は、前記本体部の上部と前記固定部とを接続する可動スタンド。
【請求項２】
前記固定部の下方に収納可能であり、前記梁材によって前記本体部の上部と前記固定部とが接続されたとき、前記梁材に載置される床材を備える請求項１に記載の可動スタンド。
【請求項３】
前記梁材の前記第１端部は、前記梁材の前記第２端部を垂直面内のみで円弧状に回転させる軸受、又は、前記梁材の前記第２端部を球面状に移動させる軸受を有する請求項１又は２に記載の可動スタンド。
【請求項４】
前記梁材の前記第２端部は、ローラが設けられ、
前記案内部は、前記ローラが摺動する請求項１から３のいずれか１項に記載の可動スタンド。
【請求項５】
前記案内部は、前記本体部の構造体を形成する構造部材間に設けられ、
前記案内部が設けられる前記構造部材間の距離は、他の前記構造部材間よりも広い請求項１から４のいずれか１項に記載の可動スタンド。
【発明の詳細な説明】
【技術分野】
【０００１】
本発明は、多目的競技場等に設置される可動スタンドに関するものである。
【背景技術】
【０００２】
陸上競技及びサッカーやラグビー等の球技に兼用される競技場では、ピッチ（陸上ではフィールドともいう。）の周囲にトラックが設けられる。そのため、階段式の観覧席（スタンド）が固定式の場合、ピッチとスタンドがトラックを挟んで常に離れていることから、球技を観戦する観客は臨場感を得にくい。
【０００３】
そこで、多目的競技場には、観覧席の前後方向に移動可能にした可動スタンドを備えるものがある。球技が行われる場合、可動スタンドをピッチ側へ移動（前進）させる。これにより、固定式のスタンドと比べ、観覧席をピッチに近づけることができる。
【０００４】
下記の特許文献１では、観客席が台車によって移動可能に支持され、その台車が走行レールにより案内される技術が開示されている。特許文献２では、観覧席を増減するため、椅子の起倒動作を可動席ユニットの展開又は収納動作と連動させる椅子起倒機構が開示されている。
【先行技術文献】
【特許文献】
【０００５】
【特許文献１】特開平５−１６３８４７号公報
【特許文献２】特開平１１−１３２９８号公報
【発明の概要】
【発明が解決しようとする課題】
【０００６】
下段のスタンドをピッチ側へ移動させた場合、移動したスタンドとその後方の建屋部が互いに離れ、下段のスタンドの最上部後方部分と、建屋部の前方部分との間に空間（隙間）が発生してしまう。そこで、隙間を塞ぐため、従来、床板を隙間の下方からリフターによって上昇させ、その後、固定金具等によって床板をスタンドと建屋部に固定させている。しかし、床板は鋼構造で重量物のため、設置又は取り外しの際に、大容量の駆動装置が必要となるうえ、作業には危険を伴う。また、広い競技場において多数の床板を上昇させ固定するという作業は、リフターの数に応じて異なるが、リフターが多いと設備費や維持費が上昇し、リフターが少ないと陸上競技用と球技用の転換作業に時間がかかる。
【０００７】
本発明は、このような事情に鑑みてなされたものであって、前方に移動し建屋部と離隔したときに生じる隙間を迅速かつ簡易に塞ぐことが可能な可動スタンドを提供することを目的とする。
【課題を解決するための手段】
【０００８】
上記課題を解決するために、本発明の可動スタンドは以下の手段を採用する。
すなわち、本発明に係る可動スタンドは、階段状に複数の席が載置され、前記席の前後方向に移動可能な本体部と、前記本体部の後方かつ前記本体部の上部の高さに位置し、前記本体部の後方の建屋部に設けられた固定部に対して回転可能に結合された第１端部と、前記本体部の前記席の下部に設けられた案内部を相対移動する、前記第１端部に対して他側の第２端部とを有する梁材とを備え、前記梁材の前記第２端部は、前記本体部の前後方向の移動とともに前記案内部を上昇又は下降し、前記本体部が前方に移動し、前記本体部と前記固定部が所定の間隔に離隔したとき、前記梁材は、前記本体部の上部と前記固定部とを接続する。
【０００９】
この構成によれば、本体部が席の前後方向に移動することで、隣接する建屋部に対して離隔したり接近したりする。本体部と固定部が所定の間隔に離隔しているとき、梁材によって本体部の上部と固定部とが接続されることから、梁材に床材を載置することで本体部と建屋部の間に生じる隙間を塞ぐことができる。
【００１０】
梁材は、第１端部が固定部に対して回転可能に結合されており、結合点を中心に回転する。本体部の席の下部には梁材の第２端部を移動させる案内部が設けられ、本体部が固定部に対して離隔する方向へ前進するとき、梁材の第２端部は、案内部に沿って上昇する。そして、本体部と固定部が所定の間隔に離隔し終えたとき、梁材は本体部の上部と固定部とを接続する。反対に、本体部と固定部が所定の間隔に離隔した状態から、本体部が固定部に対して接近する方向へ後進するとき、梁材の第２端部は、案内部に沿って下降する。本体部と固定部が接近し終えたとき、梁材は本体部の席の下部に全て収納される。
【００１１】
上記発明において、前記固定部の下方に収納可能であり、前記梁材によって前記本体部の上部と前記固定部とが接続されたとき、前記梁材に載置される床材を備えてもよい。
この構成によれば、梁材に床材を載置する際、床材を固定部の下方から取り出せばよく、簡易に床材を載置できる。
【００１２】
上記発明において、前記梁材の前記第１端部は、前記梁材の前記第２端部を垂直面内のみで円弧状に回転させる軸受、又は、前記梁材の前記第２端部を球面状に移動させる軸受を有してもよい。
【００１３】
この構成によれば、第２端部を垂直面内のみで円弧状に回転させる軸受が梁材の第１端部に設けられることによって、梁材を回動させることができ、本体部が、スタンドの幅方向に対して垂直方向に移動するとき、滑らかに梁材を本体部の下部に収納できる。また、第２端部を球面状に移動させる軸受が梁材の第１端部に設けられることによって、梁材を回動させることができ、本体部がスタンドの幅方向に対して斜め方向に移動するとき、滑らかに梁材を本体部の下部に収納できる。
【００１４】
上記発明において、前記梁材の前記第２端部は、ローラが設けられ、前記案内部は、前記ローラが摺動してもよい。
この構成によれば、ローラが案内部を摺動することにより、梁材の第２端部はスムーズに案内部を上昇したり下降したりすることができる。
【００１５】
上記発明において、前記案内部は、前記本体部の構造体を形成する構造部材間に設けられ、前記案内部が設けられる前記構造部材間の距離は、他の前記構造部材間よりも広くてもよい。
この構成によれば、本体部の構造体が構造部材によって形成されるとき、案内部が設けられる構造部材間の距離が広いことから、案内部は、構造部材と干渉しないように、本体部の席の下方における構造部材の間に容易に設置される。
【発明の効果】
【００１６】
本発明によれば、可動スタンドが前方に移動し建屋部と離隔したときに生じる隙間を迅速かつ簡易に塞ぐことができる。
【図面の簡単な説明】
【００１７】
【図１】本発明の一実施形態に係る可動スタンドを示す縦断面図である。
【図２】本発明の一実施形態に係る可動スタンドを示す縦断面図であり、本体部が建屋部に対し移動した状態を示す。
【図３】本発明の一実施形態に係る可動スタンドを示す縦断面図であり、本体部が建屋部に対し移動し、本体部と建屋部の間に梁材が架けられた状態を示す。
【図４】本発明の一実施形態に係る可動スタンドを示す縦断面図であり、梁材に床材が載置された状態を示す。
【図５】本発明の一実施形態に係る可動スタンドの床材を示す部分拡大縦断面図である。
【図６】本発明の一実施形態に係る可動スタンドを示す縦断面図である。
【図７】本発明の一実施形態に係る可動スタンドを示す背面図である。
【図８】本発明の一実施形態に係る可動スタンドを示す底面図である。
【図９】本発明の一実施形態に係る可動スタンドを示す縦断面図であり、本体部が建屋部に対し移動した状態を示す。
【図１０】本発明の一実施形態に係る可動スタンドを示す背面図であり、本体部が建屋部に対し移動した状態を示す。
【図１１】本発明の一実施形態に係る可動スタンドを示す縦断面図であり、本体部が建屋部に対し移動し、本体部と建屋部の間に梁材が架けられた状態を示す。
【図１２】本発明の一実施形態に係る可動スタンドを示す背面図であり、本体部が建屋部に対し移動し、本体部と建屋部の間に梁材が架けられた状態を示す。
【図１３】本発明の一実施形態に係る可動スタンドの変形例を示す底面図である。
【図１４】本発明の一実施形態に係る可動スタンドの変形例を示す底面図であり、本体部が建屋部に対し移動した状態を示す。
【図１５】本発明の一実施形態に係る可動スタンドの変形例を示す底面図であり、本体部が建屋部に対し移動し、本体部と建屋部の間に梁材が架けられた状態を示す。
【発明を実施するための形態】
【００１８】
以下に、本発明に係る実施形態について、図面を参照して説明する。
本実施形態に係る可動スタンド１は、例えば多目的競技場に設置される。可動スタンド１は、ピッチとほぼ同一面上に設けられ、観客席の前後方向、すなわち、ピッチ側へ接近するように移動（前進）したり、ピッチ側から離れるように移動（後進）したりする。
【００１９】
可動スタンド１の後方には、建屋部２０が設けられ、可動スタンド１の上部にアクセスすることができる通路が建屋部２０に設けられている。したがって、観客等は建屋部２０と可動スタンド１の上部との間を移動できる。可動スタンド１が前進すると、可動スタンド１の本体部２と建屋部２０との間には、隙間が発生する。そのため、観客等が建屋部２０と可動スタンド１の上部との間を移動できるように、建屋部２０と可動スタンド１の間に生じた隙間が、床材５によって塞がれる。
【００２０】
可動スタンド１は、観覧席や観客の荷重を支持する本体部２と、本体部２と建屋部２０の間に生じる隙間上部に架けられる梁材３と、本体部２に設けられる案内部４と、梁材３上に載置される床材５等を備える。
【００２１】
本体部２は、トラス構造等の構造体によって形成され、伸縮する等の変形が行われることなく前後方向に移動する。本体部２は、車輪とレールを用いて移動可能としたり、圧縮空気によって浮上させることにより移動可能としたりするなど、本体部２の移動手段は限定されない。可動スタンド１の縦断面は、ほぼ直角三角形であり、斜面部分において階段状に観覧席が載置される。
【００２２】
梁材３は、例えば断面形状がＨ型の鋼材である。梁材３は、本体部２と建屋部２０の間に生じる隙間上部に架けられ、このとき、梁材３の上面には床材５が載置される。梁材３は、床材５や観客、観覧席が床材５上に載置される場合は観覧席等の荷重に耐えられる。
【００２３】
梁材３は、建屋部２０側の第１端部３ａと、建屋部２０とは反対側の第２端部３ｂとを有する。第１端部３ａは、建屋部２０に設けられた固定部２１に対して回転可能であり、固定部２１と結合されている。第１端部３ａが固定部２１に対して回転可能に結合されていることから、梁材３は結合点を中心に回転する。梁材３は、本体部２が前方に移動し、本体部２と建屋部２０の固定部２１が所定の間隔に離隔したとき、本体部２の上部と固定部２１とを接続する。なお、建屋部２０の固定部２１は、可動スタンド１の本体部２の後方かつ本体部２のほぼ上面の高さに位置している。
【００２４】
第２端部３ｂは、本体部２の前後方向の移動とともに案内部４を上昇又は下降し、案内部４を相対移動する。第２端部３ｂにはローラ６が設けられる。ローラ６が案内部４を摺動することにより、梁材３の第２端部３ｂはスムーズに案内部４を上昇したり下降したりすることができる。
【００２５】
なお、梁材３の第１端部３ａは、梁材３の第２端部３ｂを垂直面内のみで円弧状に回転させる軸受、又は、梁材３の第２端部３ｂを球面状に移動させる軸受を有する。
【００２６】
第２端部３ｂを垂直面内のみで円弧状に回転させる軸受が梁材３の第１端部３ａに設けられることによって、梁材３を回動させることができ、本体部２が、図１から図３、又は、図６から図１２のように、可動スタンド１の幅方向に対して垂直方向に移動するとき、滑らかに梁材３を本体部２の下部に収納できる。また、第２端部３ｂを球面状に移動させる軸受が梁材３の第１端部３ａに設けられることによって、梁材３を回動させることができ、図１３から図１５のように、本体部２が可動スタンド１の幅方向に対して斜め方向に移動するとき、滑らかに梁材３を本体部２の下部に収納できる。
【００２７】
案内部４は、観覧席の下部に設けられ、本体部２の斜面部分に沿って観客席の前後方向に対して平行方向又は斜め方向に設置される。案内部４は、本体部２の構造体を形成する構造部材８間に設けられる。案内部４は、本体部２に対して固定されている。案内部４は、例えば互いに対向する２本のレール７を有し、レール７は、例えば断面形状がコの字状の溝型の鋼材である。レール７の溝内部を第２端部３ｂに設けられたローラ６が摺動する。
【００２８】
図示しないが、案内部４が設けられる構造部材８間の距離を、他の構造部材８間よりも広くすることによって、案内部４は、構造部材８と干渉しないように、本体部２の観覧席の下方における構造部材８の間に容易に設置される。これは、案内部４が本体部２の斜面部分に沿って観客席の前後方向に対して斜め方向に設置されるときに望ましい構造である。
【００２９】
床材５は、建屋部２０の固定部２１の下方に一部分が収納可能である。床材５は、梁材３によって本体部２の上部と固定部２１とが接続されたとき、梁材３に載置される。床材５は、図５に示すように、例えば複数のゴム製の帯板２２と、各帯板２２に沿って設けられる角形パイプ２３と、角形パイプ２３間に接続される蝶番２４とを備える。床材５は、複数の帯板２２及び角形パイプ２３が互いに平行に配置され、蝶番２４によって接続されていることで、荷重を支持できる構造を有しつつ、屈曲可能となっている。
【００３０】
床材５は、梁材３上に載置される際、チェーンブロック等を用いて、固定部２１の下方から引っ張り出すように取り出される。したがって、他所から床材を搬入してくる場合に比べて、迅速かつ簡易に床材５を載置できる。
【００３１】
上述した構成を有する可動スタンド１によると、本体部２が固定部２１に対して離隔する方向へ前進するとき、梁材３の第１端部３ａが固定部２１に結合されたまま、梁材３の第２端部３ｂは、案内部４に沿って上昇する。すなわち、梁材３を上昇させる駆動力を別途用いることなく、本体部２を移動させる力で梁材３を上昇させることができる。そして、本体部２と固定部２１が所定の間隔に離隔し終えたとき、梁材３は本体部２の上部と固定部２１とを接続する。その後、梁材３に床材５を載置することで本体部２と建屋部２０の間に生じる隙間を塞ぐことができる。
【００３２】
反対に、床材５を梁材３上から撤収した後、本体部２と固定部２１が所定の間隔に離隔した状態から、本体部２が固定部２１に対して接近する方向へ後進するとき、梁材３の第２端部３ｂは、案内部４に沿って下降する。すなわち、梁材３を下降させる駆動力を別途用いることなく、本体部２を移動させる力で梁材３を下降させることができる。本体部２と固定部２１が接近し終えたとき、梁材３は本体部２の観覧席の下部に全て収納される。
【００３３】
したがって、本実施形態によれば、梁材３を上下動する駆動力を別途用いることなく、本体部２を移動させるのと同時に梁材３を上下動させることができる。そして、床材５を梁材３上で水平方向に移動させるだけで、床材５の設置を完了させることができる。これにより、リフターを用いて、重量物である床材及び梁材が一体となった構造体を垂直方向に上下動させる従来の方法に比べて、安全に、迅速かつ簡易に本体部２と建屋部２０間に生じた隙間を塞ぐことができる。
【符号の説明】
【００３４】
１  可動スタンド
２  本体部
３  梁材
３ａ  第１端部
３ｂ  第２端部
４  案内部
５  床材
２０  建屋部
２１  固定部
【図１】
2015161089.tif 000003
【図２】
2015161089.tif 000004
【図３】
2015161089.tif 000005
【図４】
2015161089.tif 000006
【図５】
2015161089.tif 000007
【図６】
2015161089.tif 000008
【図７】
2015161089.tif 000009
【図８】
2015161089.tif 000010
【図９】
2015161089.tif 000011
【図１０】
2015161089.tif 000012
【図１１】
2015161089.tif 000013
【図１２】
2015161089.tif 000014
【図１３】
2015161089.tif 000015
【図１４】
2015161089.tif 000016
【図１５】
2015161089.tif 000017